(57)【要約】【課題】  従量制で課金される通信において、通信回線を捕捉したままメール作成を行うと、データ通信を行っていないにも係わらず、余分な通信料金が発生してしまうという問題があった。【解決手段】  添付ファイル付きのメールを作成する前に、通信回線捕捉していた場合は通信回線を切断させる。【選択図】        図１
2007053602.tif 000002
【特許請求の範囲】
【請求項１】
通信回線を使用してメールサーバと接続し、添付ファイル付きのメールを送受信する通信端末であって、
前記メールを作成するための操作部と、
作成された前記メールを格納するメモリと、
画像データをメモリカードから取得するためのカードインタフェイスと、
前記メモリカードから取得した前記画像データを、前記メールに添付できるように加工を行う画像処理部と、
前記通信回線の接続および切断を行い、前記メールサーバと通信を行うための回線制御部とを持ち、
ユーザが前記通信回線を捕捉した状態で前記添付ファイル付きのメールを作成しようとした際に、ユーザが前記通信回線を切断しないと前記添付ファイル付きのメールが作成できないようにすることを特徴とする通信端末。
【請求項２】
ユーザが前記通信回線を捕捉した状態で前記添付ファイル付きのメールを作成しようとした際に、前記通信回線を切断するかどうか選択させる判断文を表示し、ユーザが前記通信回線を切断することを選択した際には、前記通信回線を切断して前記添付ファイル付きのメールの作成に移行し、ユーザが前記通信回線を切断しないことを選択した際には、前記添付ファイル付きのメールを作成するためには前記通信回線を切断することが必要であるという警告文を表示して前気添付ファイル付きのメールの作成に移行しないことを特徴とする請求項１記載の通信端末。
【発明の詳細な説明】
【技術分野】
【０００１】
本発明は通信端末に関し、特に画像データを添付したメールを送信可能な通信端末における、通信料金の低減方法に関する。
【背景技術】
【０００２】
近年、家庭用の固定電話の高機能化により、音声通話やファクシミリ送受信の他に、Ｌモードサービスによりメールの送受信ができる端末も出現してきている。また、通信端末によっては、カメラ付きのものや、メモリカードとのインタフェイスを持つものもあり、メールを使用してカメラで撮影したデジタル写真や、メモリカード内の画像データを添付して送受信することも可能となっている。
【０００３】
特許文献１は、メール機能付きの通信端末であり、メール作成中には無線を切断することで、メール作成中の電力消費を低減させることができる。
【特許文献１】特開２００２−９４４３４号公報
【発明の開示】
【発明が解決しようとする課題】
【０００４】
パケット制の携帯電話においては、通信のために発生する費用はメールの長さにのみ依存し、メールを作成するために要した時間の長さには依存しない。しかしながら、Ｌモードサービスなどの固定電話での通信は従量制であり、通信回線を捕捉したままメール作成を行うと、データ通信を行っていないにも係わらず、余分な通信料金が発生してしまうという問題があった。更に、メール作成の中でも、添付ファイル付きのメールを作成する際には、大量のファイルの中から該当する添付ファイルを選択する動作も発生するため、実際にデータ通信を開始するまでには、更に長い時間がかかってしまっていた。
【０００５】
本発明では斯かる問題点を鑑みてなされたものであり、添付ファイル付きのメールを作成している間は通信回線を切断させ、続く送信処理を行っている間だけ通信回線を捕捉する通信端末を提供する点である。
【課題を解決するための手段】
【０００６】
上記目的を達成するため、本発明に係わる通信端末は、
通信回線を使用してメールサーバと接続し、添付ファイル付きのメールを送受信する通信端末であって、
前記メールを作成するための操作部と、
作成された前記メールを格納するメモリと、
画像データをメモリカードから取得するためのカードインタフェイスと、
前記メモリカードから取得した前記画像データを、前記メールに添付できるように加工を行う画像処理部と、
前記通信回線の接続および切断を行い、前記メールサーバと通信を行うための回線制御部とを持ち、
ユーザが前記通信回線を捕捉した状態で前記添付ファイル付きのメールを作成しようとした際に、ユーザが前記通信回線を切断しないと前記添付ファイル付きのメールが作成できないようにすることを特徴とする。
【発明の効果】
【０００７】
本発明によれば、ユーザが通信回線捕捉された状態で写真メールを作成しようとした際に、通信回線切断をさせるようにすることで、データ通信を行っていない間は通信料金が発生しないという効果がある。
【発明を実施するための最良の形態】
【０００８】
以下本発明を実施するための最良の形態を、実施例により詳しく説明する。
【実施例】
【０００９】
図１は、本発明の実施形態に係わる通信端末の構成図である。
【００１０】
図１において、通信端末１００は、端末の動作の制御を行うためのＣＰＵ１０１と、プログラムコードなどを格納したＲＯＭ１０２と、データを消えないようにバックアップして保存するために使用される不揮発性のメモリであるＦＬＡＳＨ１０３と、画像処理を行う際のワーク領域などに使用される揮発性のメモリであるＲＡＭ１０４と、キーやタッチパネルなどからのユーザ操作を受け付ける操作部１０５と、通信回線２００と接続され、通信回線２００と通信を行う回線制御部１０６と、ユーザに端末の状態などを伝えるための表示を行う表示部１０７と、画像データの圧縮・伸長などを行う画像処理部１０８と、メモリカード４００と接続され、メモリカード４００内のデータを通信端末１００内で扱うためのカードインタフェイス１０９と、などからなる。
【００１１】
通信回線２００はサーバ３００とも接続されており、通信端末１００は通信回線２００を通して、サーバ３００と通信を行う。
【００１２】
図２は、ＦＬＡＳＨ１０３に格納された送信メールファイルの詳細である。送信メールファイルは、送信メールを管理する送信メール管理部５００と、送信メールの実体を記憶する送信メール本体部５１０よりなる。送信メール管理部５００には、送信メールの宛先５０１、題名５０２、送信または保存日時５０３、送信したかどうかの状態５０４、添付ファイルがあったかどうかの状態５０５などが、各送信メール毎に記録されており、ここから送信メール本体部５１０のメールデータ５１１、５１２、５１３に関連付けられている。添付ファイルは保存されず、添付ファイル付きのメールは未送信の状態では保存することはできない。
【００１３】
図３は本発明の実施形態に係わるフローチャートである。
【００１４】
ユーザにより、操作部１０５から写真メールの作成動作が選択されると（Ｓ１）、実際の写真メールの作成動作に入る前に回線制御部１０６において、通信回線捕捉状態をチェックする（Ｓ２）。通信回線が捕捉された状態の場合は表示部１０７に、写真メール作成のために通信回線を切断するかどうかの判断を求める文を表示する（Ｓ３）。ユーザが操作部１０５から、通信回線切断することを選択した場合（Ｓ４）、回線制御部１０６において通信回線を切断し（Ｓ５）、写真メールの作成動作を開始する（Ｓ６）。
【００１５】
ユーザが通信回線切断を選択しなかった場合（Ｓ４）、表示部１０７に写真メール作成のためには通信回線を切断することが必要であるとの警告文を表示し（Ｓ８）、写真メールの作成動作が選択される前の状態に戻る。
【００１６】
写真メールの作成動作に入る前に行われる通信回線捕捉状態のチェックで（Ｓ２）、通信回線が捕捉されていない状態の場合は、特別な処理を行うことなく、写真メールの作成動作を開始する（Ｓ６）。
【００１７】
写真メールの作成動作（Ｓ６）は、操作部１０５からのユーザ操作により、宛先、題名、メール本文をＲＡＭ１０４に格納し、また、カードインタフェイス１０９を通して得たメモリカード４００の画像データを、画像処理部１０８で加工して表示部１０７に表示し、操作部１０５からのユーザ操作によって選択され、画像処理部１０８で加工された画像データをＲＡＭ１０４に格納する。題名、メール本文は空白のままでも構わないが、宛先と画像データはＲＡＭ１０４に格納されていることが写真メールの送信動作における必須条件である。
【００１８】
写真メールの作成が完了し、操作部１０５からのユーザ操作により写真メールの送信動作が選択されると（Ｓ７）、まずＲＡＭ１０４に格納された写真メールがＦＬＡＳＨ１０３にコピーする。続いて、通信回線制御部１０６から通信回線を捕捉し、通信回線２００を通してサーバ３００と接続する。通信回線捕捉後は、写真メールをサーバ３００に送信し、回線制御部１０６において通信回線を切断する。
【図面の簡単な説明】
【００１９】
【図１】本発明の実施形態に係わる通信端末の構成図
【図２】送信メールファイルの詳細図
【図３】本発明の実施形態に係わるフローチャート
【符号の説明】
【００２０】
１００  通信端末
１０１  ＣＰＵ
１０２  ＲＯＭ
１０３  ＦＬＡＳＨ
１０４  ＲＡＭ
１０５  操作部
１０６  回線制御部
１０７  表示部
１０８  画像処理部
１０９  カードインタフェイス
２００  通信回線
３００  サーバ
４００  メモリカード
５００  送信メール管理部
５０１  送信メールの宛先
５０２  送信メールの題名
５０３  送信メールの送信または保存日時
５０４  送信したかどうかの状態
５０５  添付ファイルがあったかどうかの状態
５１０  受信メール本体部
５１１、５１２、５１３  メールデータ
Ｓ１〜Ｓ８  処理ステップ
【図１】
2007053602.tif 000003
【図２】
2007053602.tif 000004
【図３】
2007053602.tif 000005